(57)【要約】【課題】  ディスク状記録媒体に対するチャッキング時における位置決め動作を含む円滑な動作状態を確保する。【解決手段】  弾性変形可能なインシュレーターを介して第１のベースシャーシに支持された第１のピックアップベースを有する第１のシャーシユニットと、弾性変形可能なインシュレーターを介して第２のベースシャーシに支持された第２のピックアップベースを有する第２のシャーシユニットとを備え、第１のシャーシユニットと第２のシャーシユニットの少なくとも一方がディスク状記録媒体の厚み方向へ移動されて第１のピックアップベースと第２のピックアップベースが結合又は分離され、第１のピックアップベースと第２のピックアップベースに結合時の両者の位置決めを行うための位置決め部がそれぞれ設けられ、第１のピックアップベースと第２のピックアップベースがマグネットの磁力によって結合されるようにした。【選択図】図２
2014207033.tif 000002
【特許請求の範囲】
【請求項１】
第１のベースシャーシと弾性変形可能なインシュレーターを介して前記第１のベースシャーシに支持された第１のピックアップベースとを有する第１のシャーシユニットと、
第２のベースシャーシと弾性変形可能なインシュレーターを介して前記第２のベースシャーシに支持された第２のピックアップベースとを有する第２のシャーシユニットとを備え、
前記第１のピックアップベースに前記ディスク状記録媒体が装着されるディスクテーブルと前記ディスク状記録媒体に情報信号の記録又は再生を行う第１の光ピックアップとが配置され、
前記第２のピックアップベースに前記ディスクテーブルとともに前記ディスク状記録媒体を挟持して保持するチャッキングプーリーと前記ディスク状記録媒体に情報信号の記録又は再生を行う第２の光ピックアップとが配置され、
前記第１のシャーシユニットと前記第２のシャーシユニットの少なくとも一方がディスク状記録媒体の厚み方向へ移動されて前記第１のピックアップベースと前記第２のピックアップベースが結合又は分離され、
前記第１のピックアップベースと前記第２のピックアップベースに結合時の両者の位置決めを行うための位置決め部がそれぞれ設けられ、
前記第１のピックアップベースと前記第２のピックアップベースがマグネットの磁力によって結合されるようにした
ディスクドライブ装置。
【請求項２】
前記第１のシャーシユニットと前記第２のシャーシユニットが前記ディスク状記録媒体の厚み方向へ移動されて前記第１のピックアップベースと前記第２のピックアップベースが結合又は分離されるようにした
請求項１に記載のディスクドライブ装置。
【請求項３】
前記第１のシャーシユニットと前記第２のシャーシユニットが同時に移動されるようにした
請求項２に記載のディスクドライブ装置。
【請求項４】
所定の方向へ移動されて前記第１のシャーシユニットと前記第２のシャーシユニットを移動させるカムスライダーが設けられた
請求項３に記載のディスクドライブ装置。
【請求項５】
前記カムスライダーにカム孔が形成され、
前記第１のベースシャーシと前記第２のベースシャーシにそれぞれ前記カム孔に摺動自在に係合される被ガイドピンが設けられ、
前記カムスライダーが前記所定の方向へ移動されたときに前記第１のベースシャーシと前記第２のベースシャーシの被ガイドピンが前記カム孔に対して摺動されて前記第１のシャーシユニットと前記第２のシャーシユニットが移動されるようにした
請求項４に記載のディスクドライブ装置。
【請求項６】
前記第１のピックアップベースの位置決め部と前記第２のピックアップベースの位置決め部の一方が位置決めピンとして設けられ他方が位置決め孔として形成された
請求項１に記載のディスクドライブ装置。
【請求項７】
前記第１のピックアップベースに一対の第１の結合部が設けられ、
前記第２のピックアップベースに前記一対の第１の結合部にそれぞれ結合される一対の第２の結合部が設けられ、
前記一対の第１の結合部又は前記一対の第２の結合部にそれぞれ前記位置決め孔が形成され、
前記位置決め孔の一方が前記一対の第１の結合部又は前記一対の第２の結合部が並ぶ方向に延びる長穴状に形成された
請求項６に記載のディスクドライブ装置。
【請求項８】
一方の前記第１の結合部又は一方の前記第２の結合部に前記長穴状の位置決め孔が形成され、
前記長穴状の位置決め孔が形成された結合部の他の結合部との結合が前記長穴状の位置決め孔が形成されていない側の結合部の他の結合部との結合より先に行われるようにした
請求項７に記載のディスクドライブ装置。
【請求項９】
一方の前記第１の結合部と一方の前記第２の結合部との分離が他方の前記第１の結合部と他方の前記第２の結合部との分離より先に行われるようにした
請求項７に記載のディスクドライブ装置。
【発明の詳細な説明】
【技術分野】
【０００１】
本技術は、第１の光ピックアップと第２の光ピックアップを有し第１の光ピックアップと第２の光ピックアップによってディスク状記録媒体の両面に情報信号の記録又は再生を行うディスクドライブ装置についての技術分野に関する。
【先行技術文献】
【特許文献】
【０００２】
【特許文献１】特開平１０−１８８４５６号公報
【背景技術】
【０００３】
ディスク状記録媒体に対して画像データーや音声データー等の情報信号の記録や再生を行うディスクドライブ装置がある。このようなディスクドライブ装置には、例えば、両面に情報信号の記録や再生を行うことが可能な両面ディスクが装着され、この両面ディスクに情報信号の記録や再生を行うディスクドライブ装置がある（例えば、特許文献１参照）。
【０００４】
特許文献１に記載されたディスクドライブ装置は、第１の光ピックアップとディスクテーブルが配置された第１のシャーシと、第２の光ピックアップとチャッキングプーリーが配置された第２のシャーシとを有し、第１のシャーシと第２のシャーシにそれぞれ上方又は下方へ突出された位置決めピン（基準軸）が設けられている。
【０００５】
ディスク状記録媒体（両面ディスク）はディスクカートリッジの内部に一部が露出された状態で収納されており、ディスク状記録媒体に対する情報信号の記録や再生が行われるときにはディスクカートリッジが第１のシャーシと第２のシャーシの間に搬送される。ディスクカートリッジには第１のシャーシと第２のシャーシを位置決めするための位置決め孔が形成されている。
【０００６】
ディスクカートリッジが第１のシャーシと第２のシャーシの間に搬送されたときには、駆動部材として設けられたスライドカム板の動作に応じて第１のシャーシと第２のシャーシが上下方向において互いに近付く方向へ移動され、ディスク状記録媒体がディスクテーブルとチャッキングプーリーによって挟持されてチャッキングされる。
【０００７】
このとき第１のシャーシと第２のシャーシの各位置決めピンがディスクカートリッジの各位置決め孔にそれぞれ挿入され、第１のシャーシと第２のシャーシがディスクカートリッジに対して位置決めされると共にディスクカートリッジを介して第１のシャーシと第２のシャーシが上下方向において結合されてディスクカートリッジが第１のシャーシと第２のシャーシによって保持される。
【０００８】
このように第１のシャーシと第２のシャーシがディスクカートリッジに対して位置決めされると共にディスクカートリッジを介して結合されることにより、ディスクテーブルとチャッキングプーリーによるディスク状記録媒体に対する安定したチャッキング状態が確保されると共に第１のシャーシと第２のシャーシによるディスクカートリッジの安定した保持状態が確保され、ディスク状記録媒体に対する情報信号の記録や再生が良好に行われる。
【発明の概要】
【発明が解決しようとする課題】
【０００９】
ところで、特許文献１に記載されたディスクドライブ装置のように第１のシャーシと第２のシャーシがスライドカム板のような駆動部材によって移動されて位置決めや結合が行われる装置においては、駆動部材に対する組付精度や各部の加工精度等によって各部材間に位置ずれが生じるおそれがある。
【００１０】
ところが、特許文献１に記載されたディスクドライブ装置にあっては、第１のシャーシと第２のシャーシにカムフォロアが設けられ、カムフォロアがスライドカム板のカム溝に摺動自在に係合され、スライドカム板のスライド動作に伴ってカムフォロアがカム溝に対して摺動され、第１のシャーシと第２のシャーシがそれぞれ上下方向へ移動される構成にされている。
【００１１】
従って、各部の組付精度や加工精度等によっては第１のシャーシと第２のシャーシに設けられた位置決めピンがディスクカートリッジの位置決め孔に対してずれてしまい、位置決めが円滑に行われなかったり、ディスク状記録媒体に対するチャッキングが良好に行われなくなるおそれがある。
【００１２】
そこで、本技術ディスクドライブ装置は、上記した問題点を克服し、ディスク状記録媒体に対するチャッキング時における位置決め動作を含む円滑な動作状態を確保することを目的とする。
【課題を解決するための手段】
【００１３】
第１に、ディスクドライブ装置は、第１のベースシャーシと弾性変形可能なインシュレーターを介して前記第１のベースシャーシに支持された第１のピックアップベースとを有する第１のシャーシユニットと、第２のベースシャーシと弾性変形可能なインシュレーターを介して前記第２のベースシャーシに支持された第２のピックアップベースとを有する第２のシャーシユニットとを備え、前記第１のピックアップベースに前記ディスク状記録媒体が装着されるディスクテーブルと前記ディスク状記録媒体に情報信号の記録又は再生を行う第１の光ピックアップとが配置され、前記第２のピックアップベースに前記ディスクテーブルとともに前記ディスク状記録媒体を挟持して保持するチャッキングプーリーと前記ディスク状記録媒体に情報信号の記録又は再生を行う第２の光ピックアップとが配置され、前記第１のシャーシユニットと前記第２のシャーシユニットの少なくとも一方がディスク状記録媒体の厚み方向へ移動されて前記第１のピックアップベースと前記第２のピックアップベースが結合又は分離され、前記第１のピックアップベースと前記第２のピックアップベースに結合時の両者の位置決めを行うための位置決め部がそれぞれ設けられ、前記第１のピックアップベースと前記第２のピックアップベースがマグネットの磁力によって結合されるようにしたものである。
【００１４】
これにより、第１のピックアップベースと第２のピックアップベースの結合時に、インシュレーターによって第１のピックアップベースが第１のベースシャーシに対してディスク状記録媒体の厚み方向に直交する方向において変位可能とされると共に第２のピックアップベースが第２のベースシャーシに対してディスク状記録媒体の厚み方向に直交する方向において変位可能とされる。
【００１５】
第２に、上記したディスクドライブ装置においては、前記第１のシャーシユニットと前記第２のシャーシユニットが前記ディスク状記録媒体の厚み方向へ移動されて前記第１のピックアップベースと前記第２のピックアップベースが結合又は分離されることが望ましい。
【００１６】
これにより、第１のベースシャーシと第２のベースシャーシの合計の移動ストロークにおいて第１のベースシャーシと第２のベースシャーシに移動ストロークが分散されるため、第１のベースシャーシと第２のベースシャーシの移動量をそれぞれ最小限にすることが可能になる。
【００１７】
第３に、上記したディスクドライブ装置においては、前記第１のシャーシユニットと前記第２のシャーシユニットが同時に移動されることが望ましい。
【００１８】
これにより、第１のピックアップベースと第２のピックアップベースが同時に移動される。
【００１９】
第４に、上記したディスクドライブ装置においては、所定の方向へ移動されて前記第１のシャーシユニットと前記第２のシャーシユニットを移動させるカムスライダーが設けられることが望ましい。
【００２０】
これにより、カムスライダーによって別部材である第１のシャーシユニットと第２のシャーシユニットが移動される。
【００２１】
第５に、上記したディスクドライブ装置においては、前記カムスライダーにカム孔が形成され、前記第１のベースシャーシと前記第２のベースシャーシにそれぞれ前記カム孔に摺動自在に係合される被ガイドピンが設けられ、前記カムスライダーが前記所定の方向へ移動されたときに前記第１のベースシャーシと前記第２のベースシャーシの被ガイドピンが前記カム孔に対して摺動されて前記第１のシャーシユニットと前記第２のシャーシユニットが移動されることが望ましい。
【００２２】
これにより、第１のベースシャーシに支持された第１のピックアップベースと第２のベースシャーシに支持された第２のピックアップベースとがカムスライダーによる第１のベースシャーシと第２のベースシャーシの動作に伴って移動される。
【００２３】
第６に、上記したディスクドライブ装置においては、前記第１のピックアップベースの位置決め部と前記第２のピックアップベースの位置決め部の一方が位置決めピンとして設けられ他方が位置決め孔として形成されることが望ましい。
【００２４】
これにより、位置決めピンが位置決め孔に挿入されて第１のピックアップベースと第２のピックアップベースが位置決めされる。
【００２５】
第７に、上記したディスクドライブ装置においては、前記第１のピックアップベースに一対の第１の結合部が設けられ、前記第２のピックアップベースに前記一対の第１の結合部にそれぞれ結合される一対の第２の結合部が設けられ、前記一対の第１の結合部又は前記一対の第２の結合部にそれぞれ前記位置決め孔が形成され、前記位置決め孔の一方が前記一対の第１の結合部又は前記一対の第２の結合部が並ぶ方向に延びる長穴状に形成されることが望ましい。
【００２６】
これにより、位置決めピンの長穴状の位置決め孔への挿入時に長穴状の位置決め孔の開口縁に干渉し難い。
【００２７】
第８に、上記したディスクドライブ装置においては、一方の前記第１の結合部又は一方の前記第２の結合部に前記長穴状の位置決め孔が形成され、前記長穴状の位置決め孔が形成された結合部の他の結合部との結合が前記長穴状の位置決め孔が形成されていない側の結合部の他の結合部との結合より先に行われることが望ましい。
【００２８】
これにより、位置決めピンが先に長穴状の位置決め孔に挿入される。
【００２９】
第９に、上記したディスクドライブ装置においては、一方の前記第１の結合部と一方の前記第２の結合部との分離が他方の前記第１の結合部と他方の前記第２の結合部との分離より先に行われることが望ましい。
【００３０】
これにより、マグネットによる各結合部に対する吸着の解除が順に行われる。
【発明の効果】
【００３１】
本技術によれば、第１のピックアップベースと第２のピックアップベースの位置決め時に第１のピックアップベースと第２のピックアップベースが相対的に変位されて位置ずれが吸収されると共にマグネットにより第１のピックアップベースと第２のピックアップベースが容易に結合され、ディスク状記録媒体に対するチャッキング時における位置決め動作を含む円滑な動作状態を確保することができる。
【図面の簡単な説明】
【００３２】
【図１】図２乃至図１８と共に本技術ディスクドライブ装置を実施するための形態を示すものであり、本図は、ディスクドライブ装置の斜視図である。
【図２】ディスクドライブ装置の分解斜視図である。
【図３】第１のシャーシユニットの分解斜視図である。
【図４】第１のシャーシユニットの斜視図である。
【図５】第２のシャーシユニットの分解斜視図である。
【図６】第２のシャーシユニットの斜視図である。
【図７】カムスライダーの拡大斜視図である。
【図８】図９乃至図１８と共にディスクドライブ装置の動作を示すものであり、本図は、初期状態を示す斜視図である。
【図９】初期状態を示す概略側面図である。
【図１０】初期状態を示す概略断面図である。
【図１１】初期状態においてディスク状記録媒体がチャッキング位置まで搬送された状態を示す概略側面図である。
【図１２】初期状態においてディスク状記録媒体がチャッキング位置まで搬送された状態を示す概略断面図である。
【図１３】第１のシャーシユニットと第２のシャーシユニットが上下方向へ移動されている途中の状態を示す概略側面図である。
【図１４】第１のシャーシユニットと第２のシャーシユニットが上下方向へ移動されている途中の状態を示す概略断面図である。
【図１５】後側の位置決めピンが位置決め孔に挿入されている状態を一部を断面にして示す拡大側面図である。
【図１６】第１のシャーシユニットと第２のシャーシユニットが上下方向へ移動され第１のピックアップベースと第２のピックアップベースが結合された状態を示す概略側面図である。
【図１７】第１のシャーシユニットと第２のシャーシユニットが上下方向へ移動され第１のピックアップベースと第２のピックアップベースが結合された状態を示す概略断面図である。
【図１８】前側の位置決めピンが位置決め孔に挿入されている状態を一部を断面にして示す拡大側面図である。
【発明を実施するための形態】
【００３３】
以下に、本技術ディスクドライブ装置の実施の形態を添付図面に従って説明する。
【００３４】
以下の説明にあっては、ローディング時にディスクドライブ装置へ向けてディスク状記録媒体が搬送される方向を後方（引込方向）とし、イジェクト時にディスクドライブ装置からディスク状記録媒体が搬送される方向を前方（排出方向）とし、左右方向は前方からディスクドライブ装置を見たときの状態で示し、前後上下左右の方向を示すものとする。
【００３５】
尚、以下に示す前後上下左右の方向は説明の便宜上のものであり、本技術の実施に関しては、これらの方向に限定されることはない。
【００３６】
［ディスクドライブ装置の構成］
先ず、ディスクドライブ装置１の具体的な構成について説明する（図１乃至図７参照）。
【００３７】
＜第１のベースフレーム＞
ディスクドライブ装置１は第１のベースフレーム２を有している（図１及び図２参照）。第１のベースフレーム２は外形が縦長の略矩形状に形成された底面板部３と底面板部３の左右両側縁からそれぞれ上方へ突出された二つずつの側面板部４、４、・・・と底面板部３の外周縁からそれぞれ上方へ突出された取付板部５、５、・・・とを有している。
【００３８】
側面板部４、４は第１のベースフレーム２の前後方向における略中央部に並んで設けられ、側面板部４、４間には上方に開口され上下に延びるスリットが形成され、このスリットが案内規制孔４ａとして形成されている。一方の側面板部４の外面には案内規制ピン６が取り付けられている。
【００３９】
取付板部５、５、・・・の上端部にはそれぞれ内方へ折り曲げられた取付片５ａ、５ａ、・・・が設けられている。
【００４０】
＜第１のシャーシユニット＞
第１のベースフレーム２の側面板部４、４、・・・には第１のシャーシユニット７が上下方向へ移動自在に支持されている。第１のシャーシユニット７は第１のベースシャーシ８と第１のピックアップベース９を有している（図３及び図４参照）。
【００４１】
第１のベースシャーシ８は上下方向を向くベース面部１０とベース面部１０の左右両側縁からそれぞれ上方へ突出された第１のサイド面部１１、１１とベース面部１０の左右両側縁からそれぞれ上方へ突出された第２のサイド面部１２、１２、・・・とを有している。
【００４２】
ベース面部１０は縦長の略矩形状に形成されている。
【００４３】
第１のサイド面部１１は第２のサイド面部１２より稍内側に位置され、第１のサイド面部１１の外面には被案内ピン１１ａ、１１ａが上下に離隔して設けられている。被案内ピン１１ａ、１１ａは第１のベースフレーム２の側面板部４、４間に形成された案内規制孔４ａに上下方向へ摺動自在に係合され、第１のベースシャーシ８が第１のベースフレーム２によって左右方向への移動が規制される。
【００４４】
第２のサイド面部１２、１２、・・・はそれぞれ第１のサイド面部１１、１１を挟んだ前後に位置されている。第２のサイド面部１２の外面には被ガイドピン１２ａが設けられている。
【００４５】
ベース面部１０の外周部にはそれぞれ上方へ突出された取付突部１３、１３、・・・が設けられている。
【００４６】
第１のピックアップベース９は第１のベースシャーシ８のベース面部１０に取付突部１３、１３、・・・を介して取り付けられている。第１のピックアップベース９は配置プレート１４に所要の各部が配置されて成る。
【００４７】
配置プレート１４は磁性金属材料によって形成され、上下方向を向き縦長の略矩形状に形成された基面部１５と基面部１５の前後両端部からそれぞれ上方へ突出された突面部１６、１６と突面部１６、１６の上端部からそれぞれ前方へ突出された第１の結合部１７、１７とを有している。第１の結合部１７、１７にはそれぞれ位置決め孔１７ａ、１７ｂが形成され、例えば、前側に位置する位置決め孔１７ａは前後に長い長穴状にされている。位置決め孔１７ａ、１７ｂは第１のピックアップベース９と後述する第２のピックアップベースの位置決めを行うための位置決め部として機能する。
【００４８】
基面部１５の外周部にはインシュレーター１８、１８、・・・が結合されている。第１のピックアップベース９はインシュレーター１８、１８、・・・がそれぞれ取付突部１３、１３、・・・に取付ネジ１９、１９、・・・によって取り付けられて第１のベースシャーシ８に結合される。従って、第１のピックアップベース９は第１のベースシャーシ８に対してインシュレーター１８、１８、・・・が弾性変形される範囲において水平面内において変位可能とされている。
【００４９】
配置プレート１４における基面部１５の略中央部にはスピンドルモーター２０が配置され、スピンドルモーター２０の出力軸にはディスクテーブル２１が連結されている。従って、ディスクテーブル２１がスピンドルモーター２０の駆動力によって回転される。
【００５０】
ディスクテーブル２１は外周部がテーブル部２１ａとして設けられ、テーブル部２１ａの内側の部分が上方へ突出されたセンターリング突部２１ｂとして設けられている。センターリング突部２１ｂには、例えば、環状に形成された図示しない金属板が埋め込まれている。
【００５１】
配置プレート１４の上面側には長手方向に延びるガイド軸２２、２２が左右に離隔して配置されている。ガイド軸２２、２２には第１の光ピックアップ２３が移動自在に支持されている。
【００５２】
配置プレート１４には駆動モーター２４が配置されている。駆動モーター２４は前後に延びるリードスクリュー２４ａを有し、リードスクリュー２４ａが第１の光ピックアップ２３の一部に螺合されている。従って、第１の光ピックアップ２３は駆動モーター２４の駆動力によりガイド軸２２、２２に案内されてディスクテーブル２１に離接する方向（前後方向）へ移動される。
【００５３】
＜第２のベースフレーム＞
第１のベースフレーム２の上方には第２のベースフレーム２５が配置されている（図１及び図２参照）。第２のベースフレーム２５は外形が縦長の略矩形状に形成された天面板部２６と天面板部２６の左右両側縁からそれぞれ下方へ突出された二つずつの側面板部２７、２７、・・・と天面板部２７の外周縁からそれぞれ下方へ突出された取付板部２８、２８、・・・とを有している。
【００５４】
側面板部２７、２７は第２のベースフレーム２５の前後方向における略中央部に並んで設けられ、側面板部２７、２７間には下方に開口され上下に延びるスリットが形成され、このスリットが案内規制孔２７ａとして形成されている。一方の側面板部２７の外面には案内規制ピン２９が取り付けられている。
【００５５】
取付板部２８、２８、・・・の上端部にはそれぞれ内方又は外方へ折り曲げられた取付片２８ａ、２８ａ、・・・が設けられている。
【００５６】
＜第２のシャーシユニット＞
第２のベースフレーム２５の側面板部２７、２７、・・・には第１のシャーシユニット７の上方において第２のシャーシユニット３０が上下方向へ移動自在に支持されている。第２のシャーシユニット３０は第２のベースシャーシ３１と第２のピックアップベース３２を有している（図５及び図６参照）。
【００５７】
第２のベースシャーシ３１は縦長の略矩形状に形成されたベース面部３３とベース面部３３の左右両側縁からそれぞれ下方へ突出された第１のサイド面部３４、３４とベース面部３３の左右両側縁からそれぞれ下方へ突出された第２のサイド面部３５、３５、・・・とを有している。
【００５８】
第１のサイド面部３４は第２のサイド面部３５より稍内側に位置され、第１のサイド面部３４の外面には被案内ピン３４ａ、３４ａが上下に離隔して設けられている。被案内ピン３４ａ、３４ａは第２のベースフレーム２５の側面板部２７、２７間に形成された案内規制孔２７ａに上下方向へ摺動自在に係合され、第２のベースシャーシ３１が第２のベースフレーム２５によって左右方向への移動が規制される。
【００５９】
第２のサイド面部３５、３５、・・・はそれぞれ第１のサイド面部３４、３４を挟んだ前後に位置されている。第２のサイド面部３５の外面には被ガイドピン３５ａが設けられている。
【００６０】
ベース面部３３の外周部には下方へ突出された取付突部３６、３６、・・・が設けられている。
【００６１】
第２のピックアップベース３２は第２のシャーシユニット３１のベース面部３３に取付突部３６、３６、・・・を介して取り付けられている。第２のピックアップベース３２は配置プレート３７に所要の各部が配置されて成る。
【００６２】
配置プレート３７は上下方向を向き縦長の略矩形状に形成された基面部３８と基面部３８の前後両端部からそれぞれ下方へ突出された突面部３９、３９と突面部３９、３９の下端部からそれぞれ外方へ突出された第２の結合部４０、４０とを有している。
【００６３】
基面部３８の外周部にはインシュレーター４１、４１、・・・が結合されている。第２のピックアップベース３２はインシュレーター４１、４１、・・・がそれぞれ取付突部３６、３６、・・・に取付ネジ４２、４２、・・・によって取り付けられて第２のベースシャーシ３１に結合される。従って、第２のピックアップベース３２は第２のベースシャーシ３１に対してインシュレーター４１、４１、・・・が弾性変形される範囲において水平面内において変位可能とされている。
【００６４】
配置プレート３７には左右両端部がそれぞれ基面部３８の左右両端部に連続されたプーリー支持部４３が設けられている。プーリー支持部４３は基面部３８の前後方向における略中央部に左右両端部に連続され、基面部３８より下方に位置されている。プーリー支持部４３の左右方向における中央部には上下に貫通された支持孔４３ａが形成されている。
【００６５】
配置プレート３７の第２の結合部４０、４０の下面にはそれぞれ樹脂材料によって形成されたマグネットカバー４４、４４が取り付けられている。マグネットカバー４４には下方へ突出された位置決めピン４５が設けられている。位置決めピン４５は第１のピックアップベース９と第２のピックアップベース３２の位置決めを行うための位置決め部として機能する。位置決めピン４５の下端部は下方へ行くに従って径が小さくなるテーパー部４５ａとして設けられている。マグネットカバー４４にはマグネット４６が内部に挿入されて保持されている。
【００６６】
プーリー支持部４３にはチャッキングプーリー４７が回転自在に支持されている。チャッキングプーリー４７はプーリー本体４７ａと結合リング４７ｂと図示しないマグネットによって構成されている。チャッキングプーリー４７はプーリー本体４７ａが下方から支持孔４３ａに挿入され結合リング４７ｂがプーリー本体４７ａに上方から結合されることによりプーリー支持部４３に支持され、プーリー支持部４３に対して上下方向へ所定の範囲で移動可能とされている。マグネットはプーリー本体４７ａの内部に配置されている。
【００６７】
配置プレート３７の下面側には長手方向に延びるガイド軸４８、４８が左右に離隔して配置されている。
【００６８】
ガイド軸４８、４８には第２の光ピックアップ４９が移動自在に支持されている。
【００６９】
配置プレート３７には駆動モーター５０が配置されている。駆動モーター５０は前後に延びるリードスクリュー５０ａを有し、リードスクリュー５０ａが第２の光ピックアップ４９の一部に螺合されている。従って、第２の光ピックアップ４９は駆動モーター５０の駆動力によりガイド軸４８、４８に案内されてチャッキングプーリー４７に離接する方向（前後方向）へ移動される。
【００７０】
＜センターシャーシ＞
第１のベースフレーム２と第２のベースフレーム２５の間には略矩形の略枠状に形成されたセンターシャーシ５１が配置されている（図２参照）。センターシャーシ５１の内側の空間は挿通孔５１ａとして形成されている。
【００７１】
センターシャーシ５１は第１のベースフレーム２における取付板部５、５、・・・の取付片５ａ、５ａ、・・・と第２のベースフレーム２５における取付板部２８、２８、・・・の取付片２８ａ、２８ａ、・・・とによって挟持された状態で第１のベースフレーム２と第２のベースフレーム２５に取り付けられている。
【００７２】
センターシャーシ５１にはディスク状記録媒体１００を保持する図示しないディスク保持機構が支持されている。
【００７３】
＜カムスライダー＞
第１のベースフレーム２の側面板部４、４、・・・と第２のベースフレーム２５の側面板部２７、２７、・・・とには、これらの外面側にそれぞれカムスライダー５２、５２が前後方向へ移動自在に支持されている（図１及び図２参照）。カムスライダー５２は左右方向を向く板状に形成され、図示しない駆動機構によって前後方向へ移動される。
【００７４】
カムスライダー５２には第１のカム孔５３、５３が前後に離隔して形成されている（図７参照）。第１のカム孔５３は前後方向に延びる後側カム部５３ａと後側カム部５３ａの前端に連続され前方へ行くに従って上方へ変位する傾斜カム部５３ｂと傾斜カム部５３ｂの前端に連続され前後方向に延びる前側カム部５３ｃとから成る。
【００７５】
カムスライダー５２には第１のカム孔５３、５３の上方にそれぞれ第２のカム孔５４、５４が前後に離隔して形成されている。第２のカム孔５４は前後方向に延びる後側カム部５４ａと後側カム部５４ａの前端に連続され前方へ行くに従って下方へ変位する傾斜カム部５４ｂと傾斜カム部５４ｂの前端に連続され前後方向に延びる前側カム部５４ｃとから成る。
【００７６】
第２のカム孔５４、５４においては、例えば、前側に位置された後側カム部５４ａの前後方向における長さＬ１Ｒが後側に位置された後側カム部５４ａの前後方向における長さＬ２Ｒより稍長くされ、後側に位置された前側カム部５４ｃの前後方向における長さＬ２Ｆが前側に位置された前側カム部５４ｃの前後方向における長さＬ１Ｆより稍長くされている。第２のカム孔５４、５４においては、傾斜カム部５４ｂ、５４ｂの前後方向における長さは同じにされている。
【００７７】
カムスライダー５２には前側の第１のカム孔５３の下側と後側の第１のカム孔５３の上側とにそれぞれ前後に延びる被ガイド孔５５、５５が形成されている。
【００７８】
カムスライダー５２は被ガイド孔５５、５５にそれぞれ第１のベースフレーム２の案内規制ピン６と第２のベースフレーム２５の案内規制ピン２９とが挿入されることにより第１のベースフレーム２及び第２のベースフレーム２５に対して前後方向へ移動自在に支持される（図１参照）。
【００７９】
カムスライダー５２の第１のカム孔５３、５３には第１のシャーシユニット７の被ガイドピン１２ａ、１２ａがそれぞれ摺動自在に係合され、第１のシャーシユニット７がカムスライダー５２、５２に上下方向へ移動自在に支持される。
【００８０】
カムスライダー５２の第２のカム孔５４、５４には第２のシャーシユニット３０の被ガイドピン３５ａ、３５ａがそれぞれ摺動自在に係合され、第２のシャーシユニット３０がカムスライダー５２、５２に上下方向へ移動自在に支持される。
【００８１】
従って、カムスライダー５２、５２が前後方向へ移動されると、第１のベースシャーシ８の被案内ピン１１ａ、１１ａが第１のベースフレーム２の案内規制孔４ａに案内されると共に第２のベースシャーシ３１の被案内ピン３４ａ、３４ａが第２のベースフレーム２５の案内規制孔２７ａに案内され、被ガイドピン１２ａ、１２ａがカムスライダー５２の第１のカム孔５３、５３に摺動されて第１のシャーシユニット７が上下方向へ移動されると共に被ガイドピン３５ａ、３５ａがカムスライダー５２の第２のカム孔５４、５４に摺動されて第２のシャーシユニット３０が上下方向へ移動される。
【００８２】
［ディスクドライブ装置の動作］
以下に、ディスクドライブ装置１のディスク状記録媒体１００に対するチャッキング時の動作について説明する（図８乃至図１８参照）。
【００８３】
＜動作概要＞
先ず、チャッキング動作に関わる動作の概要について説明する。
【００８４】
ディスク状記録媒体１００は図示しないディスクカートリッジから取り出されて図示しない搬送装置によるローディング動作によりディスクドライブ装置１におけるチャッキング位置まで引込方向（後方）へ搬送され、チャッキング位置においてチャッキングされて情報信号の記録又は再生が行われる。また、情報信号の記録又は再生が終了すると、ディスク状記録媒体１００はチャッキングが解除され、搬送装置によるイジェクト動作により排出方向（前方）へ搬送されてディスクカートリッジに収納される。
【００８５】
尚、ディスク状記録媒体１００は、搬送装置によるローディング動作によりチャッキング位置まで搬送された状態において、例えば、センターシャーシ５１に支持されたディスク保持機構に保持される。
【００８６】
＜初期状態＞
次に、チャッキング動作時のディスクドライブ装置１における各部の初期状態について説明する（図８乃至図１０参照）。
【００８７】
カムスライダー５２、５２はそれぞれ前方の移動端において保持されている。このとき第１のベースフレーム２の案内規制ピン６と第２のベースフレーム２５の案内規制ピン２９とがそれぞれカムスライダー５２における被ガイド孔５５、５５の後端部に係合されている。また、第１のシャーシユニット７の被ガイドピン１２ａ、１２ａがそれぞれカムスライダー５２における第１のカム孔５３、５３の後側カム部５３ａ、５３ａの後端部に係合され、第２のシャーシユニット３０の被ガイドピン３５ａ、３５ａがそれぞれカムスライダー５２における第２のカム孔５４、５４の後側カム部５４ａ、５４ａの後端部に係合されている。
【００８８】
従って、第１のシャーシユニット７は下方の移動端に保持され、第２のシャーシユニット３０は上方の移動端に保持されている。第１のシャーシユニット７が下方の移動端に保持されると共に第２のシャーシユニット３０が上方の移動端に保持されることにより、第１のピックアップベース９と第２のピックアップベース３２が上下方向において最も離隔して位置されている。従って、ディスクテーブル２１とチャッキングプーリー４７が上下方向において最も離隔して位置されている。
【００８９】
＜チャッキング動作＞
ディスク状記録媒体１００はディスクカートリッジから取り出されて搬送装置によるローディング動作により引込方向（後方）へ搬送される（図１１及び図１２参照）。ディスク状記録媒体１００はセンターシャーシ５１の上面側において搬送され、中心孔１００ａの中心がディスクテーブル２１の中心軸とチャッキングプーリー４７の中心軸とに一致されるチャッキング位置まで搬送される。ディスク状記録媒体１００は、チャッキング位置においてセンターシャーシ５１に支持されたディスク保持機構に保持される。
【００９０】
ディスク状記録媒体１００がチャッキング位置まで搬送されると、駆動機構によってカムスライダー５２、５２が同期して後方へ向けて移動される（図１３参照）。
【００９１】
カムスライダー５２は被ガイド孔５５、５５にそれぞれ第１のベースフレーム２の案内規制ピン６と第２のベースフレーム２５の案内規制ピン２９とが係合されているため、案内規制ピン６、２９によって案内されて後方へ移動される。
【００９２】
カムスライダー５２が後方へ移動されていくと、第１のシャーシユニット７の被ガイドピン１２ａ、１２ａがそれぞれ第１のカム孔５３、５３の後側カム部５３ａ、５３ａから傾斜カム部５３ｂ、５３ｂを通って前側カム部５３ｃ、５３ｃへ向けて摺動されると共に第２のシャーシユニット３０の被ガイドピン３５ａ、３５ａがそれぞれ第２のカム孔５４、５４の後側カム部５４ａ、５４ａから傾斜カム部５４ｂ、５４ｂを通って前側カム部５４ｃ、５４ｃへ向けて摺動される。従って、第１のシャーシユニット７が上方へ移動されていくと共に第２のシャーシユニット３０が下方へ移動されていき、ディスクテーブル２１とチャッキングプーリー４７が互いに近付いていく。このときディスクテーブル２２はセンターシャーシ５１の挿通孔５１ａを挿通されて上方へ移動されていく（図１４参照）。
【００９３】
上記したように、第２のカム孔５４、５４においては、後側に位置された前側カム部５４ｃの前後方向における長さＬ２Ｆが前側に位置された前側カム部５４ｃの前後方向における長さＬ１Ｆより稍長くされている。
【００９４】
従って、上記のように、カムスライダー５２が後方へ移動され被ガイドピン３５ａ、３５ａが後側カム部５４ａ、５４ａから前側カム部５４ｃ、５４ｃへ向けて摺動されるときには、途中の状態において、後側の被ガイドピン３５ａが前側カム部５４ｃに係合され前側の被ガイドピン３５ａが傾斜カム部５４ｂに係合される状態になり、第２のシャーシユニット３０が稍前下がりに傾斜した状態にされる（図１３参照）。
【００９５】
第２のシャーシユニット３０が稍前下がりに傾斜した状態にされることにより、第２のピックアップベース３２における後側の第２の結合部４０に取り付けられたマグネットカバー４４の位置決めピン４５が第１のピックアップベース９の第１の結合部１７に形成された後側の位置決め孔１７ｂに挿入される。
【００９６】
このとき第１のシャーシユニット７は第１のピックアップベース９が第１のベースシャーシ８にインシュレーター１８、１８、・・・を介して結合されインシュレーター１８、１８、・・・が弾性変形される範囲において第１のピックアップベース９が第１のベースシャーシ８に対して水平面内において変位可能とされている。また、第２のシャーシユニット３０は第２のピックアップベース３２が第２のベースシャーシ３１にインシュレーター４１、４１、・・・を介して結合されインシュレーター４１、４１、・・・が弾性変形される範囲において第２のピックアップベース３２が第２のベースシャーシ３１に水平面内において変位可能とされている。
【００９７】
従って、位置決めピン４５が位置決め孔１７ｂに挿入されるときには、位置決めピン４５と位置決め孔１７ｂの位置が水平面内において稍ずれていた場合においても、他の部分より径が小さくされたテーパー部４５ａが位置決め孔１７ｂの開口縁に摺動され（図１５参照）、第１のピックアップベース９と第２のピックアップベース３２がそれぞれ第１のベースシャーシ８と第２のベースシャーシ３１に対して変位され、位置決めピン４５が位置決め孔１７ｂに確実に挿入される。
【００９８】
同時に、ディスクテーブル２１とチャッキングプーリー４７が互いに近付いていくことにより、ディスクテーブル２１のセンターリング突部２１ｂがディスク状記録媒体１００の中心孔１００ａに下方から挿入される（図１３及び図１４参照）。ディスクテーブル２１のセンターリング突部２１ｂがディスク状記録媒体１００の中心孔１００ａに挿入されると、ディスク状記録媒体１００に対するディスク保持機構による保持が解除される。ディスク状記録媒体１００はディスクテーブル２１によって押し上げられる。
【００９９】
カムスライダー５２、５２は引き続き後方へ移動され、第１のシャーシユニット７の被ガイドピン１２ａ、１２ａがそれぞれ第１のカム孔５３、５３の前側カム部５３ｃ、５３ｃの前端部まで摺動されると共に第２のシャーシユニット３０の被ガイドピン３５ａ、３５ａがそれぞれ第２のカム孔５４、５４の前側カム部５４ｃ、５４ｃの前端部まで摺動される（図１６及び図１７参照）。
【０１００】
従って、第１のシャーシユニット７がさらに上方へ移動されていくと共に第２のシャーシユニット３０がさらに下方へ移動されていき、ディスクテーブル２１とチャッキングプーリー４７がさらに互いに近付いていく。
【０１０１】
被ガイドピン１２ａ、１２ａがそれぞれ前側カム部５３ｃ、５３ｃまで摺動され被ガイドピン３５ａ、３５ａがそれぞれ前側カム部５４ｃ、５４ｃまで摺動されることにより、稍前下がりに傾斜した状態にされていた第２のシャーシユニット３０が水平状態にされる。
【０１０２】
被ガイドピン１２ａ、１２ａがそれぞれ前側カム部５３ｃ、５３ｃまで摺動され被ガイドピン３５ａ、３５ａがそれぞれ前側カム部５４ｃ、５４ｃまで摺動されると、第２のピックアップベース３２における前側の第２の結合部４０に取り付けられたマグネットカバー４４の位置決めピン４５が第１のピックアップベース９の前側の第１の結合部１７に形成された位置決め孔１７ａに挿入される。
【０１０３】
このとき位置決めピン４５と位置決め孔１７ａの位置が水平面内において稍ずれていた場合においても、他の部分より径が小さくされたテーパー部４５ａが位置決め孔１７ａの開口縁に摺動され、第１のピックアップベース９と第２のピックアップベース３２がそれぞれ第１のベースシャーシ８と第２のベースシャーシ３１に対して変位され、位置決めピン４５が位置決め孔１７ａに確実に挿入される。
【０１０４】
また、上記したように、前側の位置決め孔１７ａは前後に長い長穴状に形成されているため、稍前下がりに傾斜した状態にされていた第２のシャーシユニット３０が水平状態にされながら位置決めピン４５が位置決め孔１７ａに挿入されるときに、位置決めピン４５が位置決め孔１７ａの前側開口縁及び後側開口縁に干渉することなく円滑に挿入される（図１８参照）。
【０１０５】
上記のように、後側の第２の結合部４０に取り付けられたマグネットカバー４４の位置決めピン４５が後側の第１の結合部１７に形成された位置決め孔１７ｂに挿入され、前側の第２の結合部４０に取り付けられたマグネットカバー４４の位置決めピン４５が前側の第１の結合部１７に形成された位置決め孔１７ａに挿入されることにより、第１のピックアップベース９と第２のピックアップベース３２の位置決めが行われる（図１６及び図１７参照）。
【０１０６】
また、第１のピックアップベース９と第２のピックアップベース３２の位置決めが行われた状態においては、後側の第２の結合部４０に取り付けられたマグネットカバー４４に保持されたマグネット４６によって後側の第１の結合部１７が吸着され、前側の第２の結合部４０に取り付けられたマグネットカバー４４に保持されたマグネット４６によって前側の第１の結合部１７が吸着される。従って、第１のピックアップベース９と第２のピックアップベース３２が二つのマグネット４６、４６によって結合される。
【０１０７】
ディスクテーブル２１とチャッキングプーリー４７が互いに近付いていくと、チャッキングプーリー４７に設けられたマグネットによってディスクテーブル２１の金属板がディスク状記録媒体１００の内周部を介して吸着される。従って、ディスク状記録媒体１００は内周部がディスクテーブル２１のテーブル部２１ａとチャッキングプーリー４７のプーリー本体４７ａとによって挟持されてチャッキングされる。
【０１０８】
尚、ディスクドライブ装置１にあっては、ディスクテーブル２１にマグネットが設けられ、チャッキングプーリー４７に金属板が設けられて吸着されチャッキングが行われてもよく、また、ディスクテーブル２１とチャッキングプーリー４７の双方にマグネットが設けられて吸着されチャッキングが行われてもよい。
【０１０９】
ディスク状記録媒体１００がチャッキングされると、カムスライダー５２、５２の後方への移動が停止される。
【０１１０】
ディスク状記録媒体１００がチャッキングされカムスライダー５２、５２の後方への移動が停止されると、ディスクテーブル２１がスピンドルモーター２０の駆動力によって回転され、ディスクテーブル２１とチャッキングプーリー４７とディスク状記録媒体１００が一体になって回転されると共に第１の光ピックアップ２３と第２の光ピックアップ４９の一方又は双方がディスク状記録媒体１００の半径方向へ移動されてディスク状記録媒体１００に対する情報信号の記録又は再生が行われる。
【０１１１】
ディスクドライブ装置１にあっては、上記したように、第１のピックアップベース９がインシュレーター１８、１８、・・・を介して第１のベースシャーシ８に結合され、第２のピックアップベース３２がインシュレーター４１、４１、・・・を介して第２のベースシャーシ３１に結合されている。
【０１１２】
従って、第１のピックアップベース９と第２のピックアップベース３２が二つのマグネット４６、４６によって結合された状態において、インシュレーター１８、１８、・・・とインシュレーター４１、４１、・・・の機能により、第１のピックアップベース９と第２のピックアップベース３２に振動が伝達され難く、ディスク状記録媒体１００に対する情報信号の記録又は再生を良好に行うことができる。
【０１１３】
また、第１のピックアップベース９と第２のピックアップベース３２が二つのマグネット４６、４６によって結合された状態において、第１の光ピックアップ２３と第２の光ピックアップ４９の位置調整を行うことにより、ディスク状記録媒体１００に対する情報信号の記録及び再生時において、常に、情報信号の記録又は再生を良好に行うことができる。
【０１１４】
ディスク状記録媒体１００の回転が停止されディスク状記録媒体１００に対する情報信号の記録又は再生が終了すると、駆動機構によってカムスライダー５２、５２が前方へ向けて移動されていき、第１のシャーシユニット７の被ガイドピン１２ａ、１２ａがそれぞれ第１のカム孔５３、５３の前側カム部５３ｃ、５３ｃの前端部から後側カム部５３ａ、５３ａの後端部まで摺動されると共に第２のシャーシユニット３０の被ガイドピン３５ａ、３５ａがそれぞれ第２のカム孔５４、５４の前側カム部５４ｃ、５４ｃの前端部から後側カム部５４ａ、５４ａの後端部まで摺動される。従って、第１のシャーシユニット７が下方へ移動されていくと共に第２のシャーシユニット３０が上方へ移動されていき、ディスクテーブル２１とチャッキングプーリー４７が互いに離隔されてディスク状記録媒体１００に対するチャッキングが解除される。
【０１１５】
ディスク状記録媒体１００に対するチャッキングが解除されると、ディスク状記録媒体１００はチャッキング位置においてセンターシャーシ５１に支持されたディスク保持機構に再び保持される。
【０１１６】
上記したように、第２のカム孔５４、５４においては、後側に位置された前側カム部５４ｃの前後方向における長さＬ２Ｆが前側に位置された前側カム部５４ｃの前後方向における長さＬ１Ｆより稍長くされている。
【０１１７】
従って、駆動機構によってカムスライダー５２、５２が前方へ向けて移動され被ガイドピン１２ａ、１２ａがそれぞれ前側カム部５３ｃ、５３ｃの前端部から後側カム部５３ａ、５３ａの後端部へ向けて摺動されるときには、途中の状態において、後側の被ガイドピン３５ａが前側カム部５４ｃに係合され前側の被ガイドピン３５ａが傾斜カム部５４ｂに係合される状態になり、第２のシャーシユニット３０が稍後上がりに傾斜した状態にされる（図１３参照）。
【０１１８】
このように第２のシャーシユニット３０が稍後上がりに傾斜した状態にされることにより、前側のマグネットカバー４４の位置決めピン４５が配置プレート１４における前側の第１の結合部１７に形成された位置決め孔１７ａから引き出される。
【０１１９】
引き続き、カムスライダー５２、５２が前方へ向けて移動されていき、被ガイドピン１２ａ、１２ａがそれぞれ後側カム部５３ａ、５３ａの後端部まで摺動されることにより、さらに第１のシャーシユニット７が下方へ移動されていくと共に第２のシャーシユニット３０が上方へ移動され、後側のマグネットカバー４４の位置決めピン４５が配置プレート１４における後側の第１の結合部１７に形成された位置決め孔１７ｂから引き出される。
【０１２０】
上記のように、第２のシャーシユニット３０が稍後上がりに傾斜されて前側の位置決めピン４５の位置決め孔１７ａからの引出と後側の位置決めピン４５の位置決め孔１７ｂからの引出とが順に行われることにより、前側のマグネット４６による前側の第１の結合部１７と前側の第２の結合部４０との結合の解除が後側のマグネット４６による後側の第１の結合部１７と後側の第２の結合部４０との結合の解除より先に行われる。
【０１２１】
このようにディスクドライブ装置１にあっては、一方のマグネットカバー４４に保持されたマグネット４６による一方の第１の結合部１７に対する吸着の解除と他方のマグネットカバー４４に保持されたマグネット４６による他方の第１の結合部１７に対する吸着の解除とが順に行われる。
【０１２２】
従って、マグネット４６、４６による吸着の解除が同時に行われないため、マグネット４６、４６による各第１の結合部１７、１７に対する吸着の解除をそれぞれ小さな力で行うことが可能であり、その分、カムスライダー５２、５２を移動させる駆動機構の小型化や駆動機構の耐久性の向上が図られ、ディスクドライブ装置１の製造コストの低減及び小型化を図ることができる。
【０１２３】
また、一方の第１の結合部１７に対する吸着の解除と他方の第１の結合部１７に対する吸着の解除とが順に行われることにより、他方の第１の結合部１７が支点となり第２のシャーシユニット３０が傾斜されて一方の第１の結合部１７に対する吸着の解除が行われる。
【０１２４】
従って、てこの原理が用いられて一方の第１の結合部１７に対する吸着の解除が行われるため、マグネット４６による吸着の解除に必要な力が小さくなり、駆動機構の小型化によるディスクドライブ装置１の一層の製造コストの低減及び一層の小型化を図ることができる。
【０１２５】
第２のシャーシユニット３０は稍後上がりに傾斜した状態から水平な状態にされ、第１のシャーシユニット７が下方の移動端に位置され第２のシャーシユニット３０が上方の移動端に位置される。
【０１２６】
ディスク状記録媒体１００は搬送装置によって排出方向（前方）へ搬送されてディスクカートリッジに収納される。
【０１２７】
尚、上記には、ディスク状記録媒体１００のローディング時に、先に、後側の位置決めピン４５が後側の位置決め孔１７ｂに挿入され、次に、前側の位置決めピン４５が前側の位置決め孔１７ａに挿入される例を示したが、逆に、先に、前側の位置決めピン４５が前側の位置決め孔１７ａに挿入され、次に、後側の位置決めピン４５が後側の位置決め孔１７ｂに挿入されてもよい。
【０１２８】
このように、先に、前側の位置決めピン４５が前側の位置決め孔１７ａに挿入されるようにすることにより、前側の位置決め孔１７ａが前後に長い長穴状に形成されているため、位置決めピン４５が位置決め孔１７ａに挿入され易く、第１のピックアップベース９と第２のピックアップベース３２の位置決め動作を容易かつ確実に行うことができる。
【０１２９】
また、上記には、ディスク状記録媒体１００のイジェクト時に、先に、前側の位置決めピン４５が前側の位置決め孔１７ａから引き出され、次に、後側の位置決めピン４５が後側の位置決め孔１７ｂから引き出される例を示したが、逆に、先に、後側の位置決めピン４５が後側の位置決め孔１７ｂから引き出され、次に、前側の位置決めピン４５が前側の位置決め孔１７ａから引き出されてもよい。
【０１３０】
［まとめ］
以上に記載した通り、ディスクドライブ装置１にあっては、インシュレーター１８、１８、・・・を介して第１のベースシャーシ８に支持された第１のピックアップベース９とインシュレーター４１、４１、・・・を介して第２のベースシャーシ３１に支持された第２のピックアップベース３２とに、それぞれ結合時の両者の位置決めを行うための位置決めピン４５、４５と位置決め孔１７ａ、１７ｂが形成され、第１のピックアップベース９と第２のピックアップベース３２がマグネット４６、４６の磁力によって結合される。
【０１３１】
これにより、第１のピックアップベース９がインシュレーター１８、１８、・・・の弾性変形される範囲において第１のベースシャーシ８に対して変形可能とされ、第２のピックアップベース３２がインシュレーター４１、４１、・・・の弾性変形される範囲において第２のベースシャーシ３１に対して変形可能とされる。従って、第１のピックアップベース９と第２のピックアップベース３２の位置決め時に位置決めピン４５、４５が位置決め孔１７ａ、１７ｂに挿入され易く、また、マグネット４６、４６により第１のピックアップベース９と第２のピックアップベース３２が容易に結合され、ディスク状記録媒体１００に対するチャッキング時における位置決め動作を含む円滑な動作状態を確保することができる。
【０１３２】
また、第１のシャーシユニット７と第２のシャーシユニット３０の双方がディスク状記録媒体１００の厚み方向（上下方向）へ移動されて第１のピックアップベース９と第２のピックアップベース３２が結合又は分離される。
【０１３３】
従って、第１のベースシャーシ７と第２のベースシャーシ３０の合計の移動ストロークにおいて第１のベースシャーシ７と第２のベースシャーシ３０に移動ストロークが分散されるため、ディスク状記録媒体１００の厚み方向における第１のベースシャーシ７と第２のベースシャーシ３０の移動量をそれぞれ最小限にすることが可能になり、第１のピックアップベース９と第２のピックアップベース３２の位置決め精度の向上を図ることができる。
【０１３４】
さらに、ディスクドライブ装置１にあっては、第１のシャーシユニット７と第２のシャーシユニット３０が同時に移動される。
【０１３５】
従って、ディスクドライブ装置１における動作の迅速化を図ることができる。
【０１３６】
また、ディスクドライブ装置１にあっては、所定の方向へ移動されて第１のシャーシユニット７と第２のシャーシユニット３０を移動させるカムスライダー５２、５２が設けられている。
【０１３７】
従って、カムスライダー５２、５２によって別部材である第１のシャーシユニット７と第２のシャーシユニット３０が移動され、ディスクドライブ装置１の構造の簡素化を図ることができる。
【０１３８】
さらに、第１のベースシャーシ８と第２のベースシャーシ３１にそれぞれカムスライダー５２の第１のカム孔５３と第２のカム孔５４に摺動自在に係合される被ガイドピン１２ａ、１２ａ、３５ａ、３５ａが設けられ、カムスライダー５２が移動されて第１のシャーシユニット７と第２のシャーシユニット３０が移動される。
【０１３９】
これにより、第１のベースシャーシ８に支持された第１のピックアップベース９と第２のベースシャーシ３１に支持された第２のピックアップベース３２とがカムスライダー５２による第１のベースシャーシ８と第２のベースシャーシ３１の動作に伴って移動される。従って、第１のベースシャーシ８と第２のベースシャーシ３１を移動させるための機構が簡素であり、ディスクドライブ装置１における機構の簡素化を確保した上でディスク状記録媒体１００に対するチャッキング時における位置決め動作を含む円滑な動作状態を確保することができる。
【０１４０】
さらにまた、第１のピックアップベース９と第２のピックアップベース３２の位置決めを行うための位置決め部として位置決め孔１７ａ、１７ｂと位置決めピン４５、４５が用いられている。
【０１４１】
従って、位置決め部の構成が簡素であり、構造の簡素化を確保した上でディスク状記録媒体１００に対するチャッキング時における位置決め動作を含む円滑な動作状態を確保することができる。
【０１４２】
尚、上記には、第１のピックアップベース９の第１の結合部１７、１７に位置決め孔１７ａ、１７ｂが形成され、第２のピックアップベース３２の第２の結合部４０、４０にマグネット４６、４６を保持し位置決めピン４５、４５を有するマグネットカバー４４、４４が取り付けられた例を示したが、逆に、第１のピックアップベース９の第１の結合部１７、１７にマグネットカバー４４、４４が取り付けられ、第２のピックアップベース３２の第２の結合部４０、４０に位置決め孔が形成されてもよい。
【０１４３】
また、上記には、前側の第１の結合部１７に長穴状の位置決め孔１７ａが形成された例を示したが、逆に、後側の第１の結合部１７に長穴状の位置決め孔が形成されてもよい。
【０１４４】
［本技術］
本技術は、以下のような構成にすることができる。
【０１４５】
（１）
第１のベースシャーシと弾性変形可能なインシュレーターを介して前記第１のベースシャーシに支持された第１のピックアップベースとを有する第１のシャーシユニットと、
第２のベースシャーシと弾性変形可能なインシュレーターを介して前記第２のベースシャーシに支持された第２のピックアップベースとを有する第２のシャーシユニットとを備え、
前記第１のピックアップベースに前記ディスク状記録媒体が装着されるディスクテーブルと前記ディスク状記録媒体に情報信号の記録又は再生を行う第１の光ピックアップとが配置され、
前記第２のピックアップベースに前記ディスクテーブルとともに前記ディスク状記録媒体を挟持して保持するチャッキングプーリーと前記ディスク状記録媒体に情報信号の記録又は再生を行う第２の光ピックアップとが配置され、
前記第１のシャーシユニットと前記第２のシャーシユニットの少なくとも一方がディスク状記録媒体の厚み方向へ移動されて前記第１のピックアップベースと前記第２のピックアップベースが結合又は分離され、
前記第１のピックアップベースと前記第２のピックアップベースに結合時の両者の位置決めを行うための位置決め部がそれぞれ設けられ、
前記第１のピックアップベースと前記第２のピックアップベースがマグネットの磁力によって結合されるようにした
ディスクドライブ装置。
【０１４６】
（２）
前記第１のシャーシユニットと前記第２のシャーシユニットが前記ディスク状記録媒体の厚み方向へ移動されて前記第１のピックアップベースと前記第２のピックアップベースが結合又は分離されるようにした
前記（１）に記載のディスクドライブ装置。
【０１４７】
（３）
前記第１のシャーシユニットと前記第２のシャーシユニットが同時に移動されるようにした
前記（２）に記載のディスクドライブ装置。
【０１４８】
（４）
所定の方向へ移動されて前記第１のシャーシユニットと前記第２のシャーシユニットを移動させるカムスライダーが設けられた
前記（３）に記載のディスクドライブ装置。
【０１４９】
（５）
前記カムスライダーにカム孔が形成され、
前記第１のベースシャーシと前記第２のベースシャーシにそれぞれ前記カム孔に摺動自在に係合される被ガイドピンが設けられ、
前記カムスライダーが前記所定の方向へ移動されたときに前記第１のベースシャーシと前記第２のベースシャーシの被ガイドピンが前記カム孔に対して摺動されて前記第１のシャーシユニットと前記第２のシャーシユニットが移動されるようにした
前記（４）に記載のディスクドライブ装置。
【０１５０】
（６）
前記第１のピックアップベースの位置決め部と前記第２のピックアップベースの位置決め部の一方が位置決めピンとして設けられ他方が位置決め孔として形成された
前記（１）に記載のディスクドライブ装置。
【０１５１】
（７）
前記第１のピックアップベースに一対の第１の結合部が設けられ、
前記第２のピックアップベースに前記一対の第１の結合部にそれぞれ結合される一対の第２の結合部が設けられ、
前記一対の第１の結合部又は前記一対の第２の結合部にそれぞれ前記位置決め孔が形成され、
前記位置決め孔の一方が前記一対の第１の結合部又は前記一対の第２の結合部が並ぶ方向に延びる長穴状に形成された
前記（６）に記載のディスクドライブ装置。
【０１５２】
（８）
一方の前記第１の結合部又は一方の前記第２の結合部に前記長穴状の位置決め孔が形成され、
前記長穴状の位置決め孔が形成された結合部の他の結合部との結合が前記長穴状の位置決め孔が形成されていない側の結合部の他の結合部との結合より先に行われるようにした
前記（７）に記載のディスクドライブ装置。
【０１５３】
（９）
一方の前記第１の結合部と一方の前記第２の結合部との分離が他方の前記第１の結合部と他方の前記第２の結合部との分離より先に行われるようにした
前記（７）又は前記（８）に記載のディスクドライブ装置。
【符号の説明】
【０１５４】
１…ディスクドライブ装置、７…第１のシャーシユニット、８…第１のベースシャーシ、９…第１のピックアップベース、１２ａ…被ガイドピン、１７…第１の結合部、１７ａ…位置決め孔（位置決め部）、１７ｂ…位置決め孔（位置決め部）、１８…インシュレーター、２１…ディスクテーブル、２３…第１の光ピックアップ、３０…第２のシャーシユニット、３１…第２のベースシャーシ、３２…第２のピックアップベース、３５ａ…被ガイドピン、４０…第２の結合部、４１…インシュレーター、４５…位置決めピン（位置決め部）、４７…チャッキングプーリー、４９…第２の光ピックアップ、５２…カムスライダー、５３…第１のカム孔、５４…第２のカム孔、１００…ディスク状記録媒体
【図１】
2014207033.tif 000003
【図２】
2014207033.tif 000004
【図３】
2014207033.tif 000005
【図４】
2014207033.tif 000006
【図５】
2014207033.tif 000007
【図６】
2014207033.tif 000008
【図７】
2014207033.tif 000009
【図８】
2014207033.tif 000010
【図９】
2014207033.tif 000011
【図１０】
2014207033.tif 000012
【図１１】
2014207033.tif 000013
【図１２】
2014207033.tif 000014
【図１３】
2014207033.tif 000015
【図１４】
2014207033.tif 000016
【図１５】
2014207033.tif 000017
【図１６】
2014207033.tif 000018
【図１７】
2014207033.tif 000019
【図１８】
2014207033.tif 000020